(57)【要約】      （修正有）【課題】簡単に組み立て及び折り畳むことができ、かつ、布団の出し入れの際に、布団収納空間を保持可能な布団収納体を提供する。【解決手段】不織布を二重以上に重ねた無端帯布の布間に、二対の矩形の補強芯材が夫々装入されて、角筒体の左側面部２１、上面部２２、右側面部２３及び下面部を夫々形成し、且つ、各々の面部と隣の面部との境界域２５ａ，２５ｂ，２５ｃ，２５ｄにおいて屈曲可能となっている角筒の胴体部２と、胴体部の背面側の開口部２６を覆う不織布について、開口部の対角線上に折り畳み用ファスナ３１を取付けてなる背面部と、胴体部の正面側の開口部２７に、透明材からなる正面材４１を設けるとともに、正面材の周縁に接続する不織布からなる連接材の周縁と、胴体部の左側面部、上面部及び右側面部の外側と連接する不織布からなる胴体被覆部２８の周縁とを接続する部位に開閉用ファスナ４３を取付けてなる正面部４とを備える。【選択図】図１
2019194098.tif 000002
【特許請求の範囲】
【請求項１】
不織布を二重以上に重ねた無端帯布の布間に、二対の矩形の補強芯材が夫々装入されて、角筒体の左側面部、上面部、右側面部及び下面部を夫々形成し、且つ、各々の面部と隣の面部との境界域において屈曲可能となっている角筒の胴体部と、
該胴体部の背面側の開口部を覆う不織布について、該開口部の対角線上に折り畳み用ファスナを取付けてなる背面部と、
該胴体部の正面側の開口部に、透明材からなる正面材を設けるとともに、該正面材の周縁に接続する不織布からなる連接材の周縁と、該胴体部の左側面部、上面部及び右側面部の外側と連接する不織布からなる胴体被覆部の周縁とを接続する部位に開閉用ファスナを取付けてなる正面部と
を備えてなる布団収納体。
【請求項２】
不織布を二重以上に重ねた無端帯布の布間に、二対の矩形の補強芯材が夫々装入されて、角筒体の左側面部、上面部、右側面部及び下面部を夫々形成し、且つ、各々の面部と隣の面部との境界域において屈曲可能となっている角筒の胴体部と、
該胴体部の背面側の開口部を覆う不織布について、該開口部の対角線上に折り畳み用ファスナを取付けてなる背面部と、
該胴体部の正面側の開口部に、透明材からなる正面材を設けるとともに、該正面材の周縁と正面側の開口部の周縁とを接続する部位に開閉用ファスナを取付けてなる正面部と
を備えてなる布団収納体。
【請求項３】
前記補強芯材が、樹脂製段ボール板又は樹脂製中空シートである、請求項１又は請求項２に記載の布団収納体。
【請求項４】
さらに把手部を設けてなる、請求項１乃至請求項３の何れか一項に記載の布団収納体。
【発明の詳細な説明】
【技術分野】
【０００１】
本発明は、折り畳み可能な布団収納体に関する。さらに詳しくは、布団を出し入れする際、あるいは積み重ねた状態でも、形が崩れることのない布団収納体に関する。
【背景技術】
【０００２】
従来、羽毛布団は折り畳んで布団収納袋に入れられ、保管、搬送、店内陳列等がなされていた。しかし、布団収納袋を積み重ねようとすると、上に積み重ねた布団及び布団収納袋の重みで下にある布団及び布団収納袋が潰れてしまい、積重ねた布団収納袋が崩れてくるという問題があった。
そこで、布団収納袋が潰れない様に、板紙等で側面部が補強された布団収納袋が提案されている。例えば、略直方体形の布団収納袋本体内に、折り畳み可能で、かつ、展開することによって袋本体を略直方体形に保形する矩形枠の保形部材を有する布団収納袋の提案がなされている（特許文献１参照）。
【先行技術文献】
【特許文献】
【０００３】
【特許文献１】特開第２０１３−２１６３６６号公報
【発明の概要】
【発明が解決しようとする課題】
【０００４】
しかし、特許文献１に記載の布団収納袋は、図５に示す様に、袋本体と保形部材とが別部材であるので、袋本体と保形部材を夫々保管する必要がある。また、布団収納袋を組み立てるときには袋本体内部に保形部材を入れて展開する必要がある。そのため、工場等で製造した布団を布団収納袋に入れて大量に出荷しようとすると、布団収納袋を組立てる手間がかかり、作業効率が悪いという問題があった。加えて、保形部材の側面に折り目があるので、布団収納袋の側面から力が加わった場合、保形部材が折り畳まれ、布団収納袋が潰れてしまうという問題もあった。
また、布団収納袋から布団を出し入れする場合に、布団が保形部材に引っかかって、保形部材が袋本体から外れる、あるいは、保形部材が折り畳まれることで、布団収納空間を保つことができず、布団の収納を手際よく行えないといった問題があった。
【０００５】
また、実際に市販されている布団収納袋には、安価で入手しやすい３乃至５ｍｍ厚の板紙が保形部材として使用されている。しかし、板紙は湿気を吸収するため、湿気の多いところではカビが生えたり悪臭が発生したりするという問題が生じる可能性がある。また、板紙は撓む方向に力が加わると簡単に折れ曲がり、一度折れ目が付くと保形部材としての十分な強度を有さないものとなるという問題が生じる。また、板紙は引裂く方向に力が加わると簡単にちぎれてしまい、一度ちぎれると保形部材としての役目を果たさなくなるという問題が生じる。
さらに、古紙の再生品である板紙にはホッチキスの芯やクリップ等の金属片が混入されていることがあるので、保形部材として古紙の板紙を用いたときは検針機や金属探知機に反応してしまうことがある。そのため、布団製造工場等では、布団の出荷の際に、まず布団及び布団収納袋の袋本体を検針機、金属探知機で針等の金属片の混入が無いかの検査を行い、次いで布団収納袋に布団を収納して封緘した後Ｘ線検査等により布団収納袋の内部に異物の混入が無いかの検査を行う必要があるので、検査手順が複雑であるという問題があった。
【０００６】
本発明は、かかる点に鑑みてなされたものであり、簡単に組み立て及び折り畳むことが
でき、かつ、布団の出し入れを容易にする十分な布団収納空間をその出し入れ際、安定に保持可能な布団収納体を提供することを目的とする。
【課題を解決するための手段】
【０００７】
上記目的を達成するために、本発明の布団収納体は、不織布を二重以上に重ねた無端帯布の布間に、二対の矩形の補強芯材が夫々装入されて、角筒体の左側面部、上面部、右側面部及び下面部を夫々形成し、且つ、各々の面部と隣の面部との境界域において屈曲可能となっている角筒の胴体部と、該胴体部の背面側の開口部を覆う不織布について、該開口部の対角線上に折り畳み用ファスナを取付けてなる背面部と、該胴体部の正面側の開口部に、透明材からなる正面材を設けるとともに、該正面材の周縁に接続する不織布からなる連接材の周縁と、該胴体部の左側面部、上面部及び右側面部の外側と連接する不織布からなる胴体被覆部の周縁とを接続する部位に開閉用ファスナを取付けてなる正面部とを備えてなることを特徴とする。
【０００８】
また、本発明の別の態様の布団収納体は、不織布を二重以上に重ねた無端帯布の布間に、二対の矩形の補強芯材が夫々装入されて、角筒体の左側面部、上面部、右側面部及び下面部を夫々形成し、且つ、各々の面部と隣の面部との境界域において屈曲可能となっている角筒の胴体部と、該胴体部の背面側の開口部を覆う不織布について、該開口部の対角線上に折り畳み用ファスナを取付けてなる背面部と、該胴体部の正面側の開口部に、透明材からなる正面材を設けるとともに、該正面材の周縁と正面側の開口部の周縁とを接続する部位に開閉用ファスナを取付けてなる正面部とを備えてなることを特徴とする。
【０００９】
また、本発明の布団収納体は、前記補強芯材が、樹脂製段ボール板又は樹脂製中空シートである、上記布団収納体に関する。
また、本発明の布団収納体は、さらに把手部を設けてなる、上記布団収納体に関する。
【発明の効果】
【００１０】
本発明によれば、背面部の折り畳み用ファスナを閉じることで、布団袋収納体を容易に組立てることができ、かつ、筒状に形成された胴体部は、各々の面部と隣の面部との境界域で隣り合う面部が屈曲することなく略固定され、布団収納体が折り畳まれることもないので、布団を収納する作業効率が著しく向上した布団収納体を提供することができる。
また、本発明によれば、胴体部の二重以上に重ねられた不織布間に補強芯材が装入されているので、布団収納体に布団を出し入れするときに布団が補強芯材に引っかかったりせず、布団の出し入れが容易な布団収納体を提供することができる。
また、本発明によれば、開閉用ファスナ及び折り畳み用ファスナを開いて、正面部及び背面部を胴体部の内方に押し入れながら、各境界域で各々の面部と隣の面部とを屈曲・伸展することで、簡易に、かつ、コンパクトに折り畳むことができる布団収納体を提供することができる。
【００１１】
さらに、本発明によれば、特に補強芯材として樹脂製段ボール板又は樹脂製中空シートを使用した場合には、カビや悪臭の発生を抑制でき、且つ、耐久性が高い布団収容体を提供することができる。また、布団製造工場における布団の出荷作業の作業手順を減少させ、出荷作業の作業効率を向上させることが可能な布団収容体を提供することができる。
【図面の簡単な説明】
【００１２】
【図１】図１は、実施例１の布団収納体の正面側の斜視図である。
【図２】図２は、実施例１の布団収納体の背面側の斜視図である。
【図３】図３は、実施例２の布団収納体の斜視図である。
【図４】図４は、実施例１の布団収納体の折り畳み方を示す概略図である。図４（ａ）は折り畳む前の布団収納体の斜視図であり、図４（ｂ）は折り畳み途中の布団収納体の斜視図であり、図４（ｃ）は折り畳まれた布団収納体の斜視図である。
【図５】図５は、従来の布団収納袋を示す概略図である。
【発明を実施するための形態】
【００１３】
以下、本発明に係る布団収納体を説明する。
本発明の布団収納体は、不織布を二重以上に重ねた無端帯布の布間に、二対の矩形の補強芯材が夫々装入されて、角筒体の左側面部、上面部、右側面部及び下面部を夫々形成し、且つ、各々の面部と隣の面部との境界域において屈曲可能となっている角筒の胴体部と、
該胴体部の背面側の開口部を覆う不織布について、該開口部の対角線上に折り畳み用ファスナを取付けてなる背面部と、
該胴体部の正面側の開口部に、透明材からなる正面材を設けるとともに、該正面材の周縁に接続する不織布からなる連接材の周縁と、該胴体部の左側面部、上面部及び右側面部の外側と連接する不織布からなる胴体被覆部の周縁とを接続する部位に開閉用ファスナを取付けてなる正面部とを備えてなる。
【００１４】
略角筒の胴体部の不織布、背面部の不織布及び連接材の不織布としては、布団の収納時及び運搬時に破けない強度を有し、また保管時に湿気がたまったりカビが生じたりしないような通気性を有するものであればよく、従来知られている不織布を使用することができる。例えば、ポリエチレンやポリプロピレン等のポリオレフィン、又はポリエチレンテレフタレート等のポリエステルの不織布が挙げられ、特にポリプロピレン不織布（以下、ＰＰ不織布ともいう）を使用するのが好ましい。不織布として、無色のものや慣用の染色方法で着色又はプリントしたものを使用できる。
【００１５】
二対の矩形の補強芯材は、布団を収納した布団収納体を重ねても、変形したり潰れたりしない強度（剛性）を有するものであればよく、また、積重ねたり運搬したりする観点からから軽量である物が好ましく、板紙、樹脂製段ボール板又は樹脂製中空シート等の市販の製品を使用できる。
また、矩形の補強芯材は、布団収納体の製造工程、例えば縫製又は融着等を容易にするために、４隅に切欠きを設けても良い。
【００１６】
樹脂製段ボール板又は樹脂製中空シートとしては、例えば、ポリエチレン、ポリプロピレン、アクリル若しくはポリカーボネート製の段ボール、積層シート、中空構造板、微発泡もしくは発泡シート又はこれらの積層体が挙げられる。これら樹脂製段ボール板又は樹脂製中空シートは、板紙よりも軽量、且つ、高強度であり、例えば、板紙の半分以下の重さでも板紙と同程度或いは板紙よりも高い強度を有するので好ましい。特に、ポリプロピレン製の段ボールが好ましい。
【００１７】
また、樹脂製段ボール板又は樹脂製中空シートは、厚紙と異なり湿気を吸収しにくいため、カビが生えたり、悪臭が発生したりすることを防止できる。加えて、樹脂製段ボール板又は樹脂製中空シートは、撓む方向に力が加わっても、しなることで折れ曲りにくく、折れ目が付きにくい。また、樹脂製段ボール板又は樹脂製中空シートは、少し折れ目が付いた程度であれば、元の形状に戻り、著しい強度低下も生じない。また、樹脂製段ボール板は引裂く方向に力が加わっても板紙と異なりちぎれにくい。そのため、樹脂製段ボール板又は樹脂製中空シートの補強芯材を使用することで、板紙の補強芯材を使用するよりも壊れにくく耐久性の高い布団収納体を提供できる。
さらに、樹脂製段ボール板又は樹脂製中空シートには金属の混入が無いので、樹脂製段ボール板又は樹脂製中空シートは検針機や金属探知機に反応しない。そのため、補強芯材として樹脂製段ボール板又は樹脂製中空シートを使用した布団収納体は、布団収納体に布団を収納し封緘した後に、検針機、金属探知機による検査及びＸ線検査等をまとめて行え
るので、補強芯材として板紙を使用した布団収納体の検査よりも、検査手順を省略できる。特に、布団製造工場の布団の出荷作業の作業効率を向上させることができる。
【００１８】
本発明の布団収納体において、補強芯材は、胴体部の左側面部、上面部、右側面部及び下面部の二重以上に重ねた無端帯布の不織布間に装入されているので、布団の出し入れをしても、布団が補強芯材に引っかかることなく、スムーズに布団の出し入れを行うことができる。また、布団の出し入れの際に、布団が補強芯材に引っかかって補強芯材が外れたりすることがないので、安定に布団収納空間を保持できる。
【００１９】
上記角筒の胴体部は、各々の面部と隣の面部との境界域で隣り合う面部と面部を屈曲・伸展可能に設けられれば良い。一方の対向する境界域で隣り合う面部と面部を屈曲させ、他方の対向する境界域において隣り合う面部と面部を伸展させることで、胴体部を平らに折り畳むことができる。
これにより、本発明の布団収納体は、胴体部に装入されている補強芯材に折り目等を付けて折り畳まれるようにする必要が無い。つまり、本発明の布団収納体は、側面から力が加わっても、補強芯材が折り畳まれることなく安定に布団収納区間保持できる。
【００２０】
また、胴体の上面部或いは左右の側面部には、布団収納体の運搬するための把手を取付けることができる。把手は、布団収納体１の運搬時に破壊されなければよく、通常の布団袋と同様に取付けることができる。
また、把手は胴体部の不織布に直接取り付けても良いが、例えば、胴体部に布帛、本革、或いはポリウレタン或いはポリ塩化ビニル等の合皮等の補強部材を取付け、斯かる補強部材に把手を取付けることで、より破壊されにくいものとなる。強度及び環境の観点からポリウレタン合皮製の把手及び補強部材を使用するのが好ましい。
【００２１】
上記背面部に取付けられる折り畳み用ファスナは、胴体部の背面側の開口部を覆う不織布について、該開口部の対角線の略全長にわたって取付けられるのが好ましい。折り畳み用ファスナとしては、市販の点ファスナ、線ファスナ又は面ファスナを使用できる、特に開閉の容易さから線ファスナが好ましい。
【００２２】
折り畳み用ファスナを閉じた状態では、胴体部の境界域で隣り合う面部と面部を屈曲・伸展できないので、胴体部を折り畳むことができず、布団収納体の胴体部は箱型形状を維持できる。
一方、折り畳み用ファスナを全て開くことにより、胴体部の背面側の開口部を覆う不織布は開口部の対角線に沿って略三画形の不織布２枚に分離される。そのため、折り畳み用ファスナを全て開いた状態では、胴体部の各面部と隣の面部との境界域のうち、折りたたみファスナの延長線上にある境界域で隣り合う面部と面部のなす角が約１８０°となるように伸展させ、一方折りたたみファスナの取付けられていない他方の対角にある境界域において隣り合う面部のなす角が約０°となる様に屈曲させることで、胴体部を平らに折り畳むことができる。
そして、本発明の布団収納体は、胴体部に補強芯材を装入したまま折り畳むことができる。そのため、布団収容袋を折り畳む際又は組み立てる際に、補強芯材を取り出したり又は装着したりする必要が無いので、容易に布団収容袋の折り畳み又は組み立てを行うことができる。また、布団収容袋本体と補強芯材とを別々に保管しておく必要もなく、保管の手間を省くことができる。
【００２３】
胴体部への背面部の取り付け方法としては従来の方法を使用でき、例えば、角筒の胴体部の背面側の開口部の周縁の不織布と、背面部の周縁の不織布とを、縫着又は融着すればよい。縫着部又は融着部が解れたり引裂かれたりすることを防止するために、縫着部には、布帛、本革、或いはポリウレタン或いはポリ塩化ビニル等の合皮等のパイピング材を使
用して、縫着することが好ましい。
【００２４】
布団収納体の正面材に使用される透明材としては、例えばポリエチレン、ポリプロピレン、ポリエチレンテレフタレート、ポリ塩化ビニル等の市販の透明樹脂シート又はフィルムを使用できる。
布団収納体１の正面材４１は透明材からなるので、正面部を開くことなく布団が収納されていること及びその布団の柄を確認することができる。
【００２５】
正面材の周縁には、不織布からなる連接材を取り付けることが好ましい。例えば、透明材と不織布からなる連接材を従来の方法で縫着すればよい。また、縫着部が解れたり引裂かれたりすることを防止するために、縫着部は上述のようにパイピング材を使用して縫着することが好ましい。
【００２６】
連接材の周縁には、胴体被覆部の周縁と接続する部位に開閉用ファスナが取付けてられる。開閉用ファスナとしては、市販の線ファスナ、面ファスナ又は点ファスナを使用でき、特にスライダを２個有する線ファスナを使用するのが好ましい。
【００２７】
胴体被覆部は、胴体部の左側面部、上面部及び右側面部の外側と連接する不織布からなり、連接材の周縁と接続する部位に開閉用ファスナが取り付けられる。
胴体被覆部は、例えば、胴体部の背面側の開口部に背面部を縫着する際に一緒に縫着することができる。若しくは、胴体部に取手用の補強部材を縫着する際に一緒に縫着することができる。
【００２８】
通常の布団袋では、ファスナが布団を噛み込んで布団を傷付けない様に、布団を抑えながら慎重にファスナを閉める必要があるので、作業効率が悪いものであった。しかし、本発明の布団収納体は、胴体部の外側に設けられた胴体被覆部と正面部とが開閉用ファスナで接続されているので、布団を収納して開閉用ファスナを閉じる際に、胴体部により布団が開閉用ファスナに接しない。したがって、ファスナが布団を噛み込むことなく、容易に布団収納体の正面部を開閉できる。
【００２９】
また、正面部は、胴体被覆部でなく、胴体部の正面側の開口部周縁に、開閉用ファスナを介して取付けることもできる。
この場合、正面材の周縁、及び胴体部の正面側開口の周縁に、従来の方法で開閉用ファスナを取付けることができる。
この場合であっても、折り畳み用ファスナ及び開閉用ファスナを開くことで、容易に布団収納体を折り畳むことができる。
また、胴体被覆部及び正面材に連接材を取付ける必要が無いので、低コストで容易に製造可能である。
【実施例】
【００３０】
以下に、図面を参照して本発明をより詳細に説明する。しかし、本発明は以下に限定されるものではない。
【００３１】
［実施例１］
本発明の布団収納体の一態様を図１及び図２に示す。図１及び図２は、夫々、実施例１の布団収納体１を正面又は背面から見た斜視図である。
本発明の布団収容袋１は、組み立てられた状態で、幅５８０ｍｍ、奥行き３５０ｍｍ、高さ４７０ｍｍの直方体である。
胴体部２の左側面部２１及び右側面部２３は２枚のＰＰ不織布シート間に４６５ｍｍ×３４５ｍｍの３ｍｍ厚のポリプロピレン製段ボールが装入されたものであり、また上面部
２２及び下面部２４は２枚のＰＰ不織布シート間に５７５ｍｍ×３４５ｍｍの３ｍｍ厚のポリプロピレン製段ボールが装入されたものである。
また、胴体部２の左側面部２１、上面２２及び右側面２３の外側には、１５２０ｍｍ×３００ｍｍのＰＰ不織布シートからなる胴体被覆部２８、１５２０ｍｍ×５５ｍｍのポリウレタン合皮革からなる帯６及びポリウレタン合皮革かならなる把手５が縫着されている。
また、胴体部２の境界域２５ａ乃至２５ｄは、縫着されている。これにより、折り畳んだ布団収納体を持ち運ぶときに、夫々の面部の不織布間に装入されているポリプロピレン段ボールが、他の面部に移動することを防止することができる。
背面部３は、ＰＰ不織布からなり、対角線上に７４６ｍｍの長さの折り畳み用ファスナ３１が取り付けられている。また、ファスナ３１のスライダは胴体部２の内側に取付けられている。
正面部４は、透明な０．１ｍｍ厚のポリエチレンフィルムからなる正面材４１と、５０ｍｍ巾のＰＰ不織布からなる連接材４２とを縫着してなり、連接材４２と胴体被覆部２８とはスライダ２個を有する開閉用ファスナ８３により接続されている。
胴体部２及び胴体被覆部２８の背面側の開口部２６の周縁と、背面部３の周縁とは、ポリウレタン合皮製のパイピング材７で覆って縫着されている。
また、正面部４の正面材４１と、胴体部２の下面部２４の正面側開口部２７及び連接材４２とは、ポリウレタン合皮製のパイピング材７で覆って縫着されている。
【００３２】
［実施例２］
本発明の布団収納体の一態様を図３に示す。図３は、実施例２の布団収納体５０を正面から見た斜視図である。
本発明の布団収容袋５０は、組み立てられた状態で、幅５８０ｍｍ、奥行き３５０ｍｍ、高さ４７０ｍｍの直方体である。
胴体部５２の左側面部６１及び右側面部６３は２枚のＰＰ不織布シート間に４６５ｍｍ×３４５ｍｍの３ｍｍ厚のポリプロピレン製段ボールが装入されたものであり、また上面部６２及び下面部６４は２枚のＰＰ不織布シート間に５７５ｍｍ×３４５ｍｍの３ｍｍ厚のポリプロピレン製段ボールが装入されたものである。
また、胴体部５２の左側面部６１、上面６２及び右側面６３の外側には、１５２０ｍｍ×５５ｍｍのポリウレタン合皮革かならなる帯５６及びポリウレタン合皮革かならなる把手５５が縫着されている。
また、胴体部５２の境界域６５ａ乃至６５ｄは、縫着されている。
背面部５３は、ＰＰ不織布からなり、対角線上に７４６ｍｍの長さの折り畳み用ファスナ３１が取り付けられている。また、ファスナ３１のスライダは胴体部２の内側に取付けられている。
正面部５４は、透明な０．１ｍｍ厚のポリエチレンフィルムからなる正面材６４からなる。
胴体部５２の背面側の開口部の周縁と、背面部５３の周縁とは、ポリウレタン合皮製のパイピング材５７で覆って縫着されている。
また、正面部５４の正面材６４と、胴体部５２の下面部６４の正面側開口部及び開閉用ファスナ８３のテープ部とは、ポリウレタン合皮製のパイピング材５７で覆って縫着されている。
【００３３】
［使用例］
以下に、図１及び図４を参照して、実施例１の布団収納体の折り畳み方法について説明する。
まず、図４（ａ）に示す様に、布団収納体１の開閉用ファスナ３８を全て開き、正面部４を胴体部２の内方に押し入れ、背面部３に取付けられた開閉用ファスナ３１を全て開く。次いで図４（ｂ）に示す様に、胴体部の開口部２６、２７が平行四辺形となる様に境界
域２５ａで左側面部２１と上面部２２とを伸展させ、境界域２５ｂで右側面部２３と下面部２４とを伸展させ、境界域２５ｃで下面部２４と左側面部２１とを屈曲させ、及び境界域２５ｄで上面部２２と右側面部２３とを屈曲させ、また背面部３の不織布を胴体部２の内方に押し入れていく。そして、図４（ｃ）に示す様に、布団収納体１を平らに折り畳むことができた。
一方、上記と逆の手順に従って布団収納体を折り畳み状態から組立てることができた。
【００３４】
また、布団収納体１を組立てた完成状態においては、図１示すように、胴体部２の左側面部２１、上面部２２、右側面部２３及び下面部２４が、角筒状に連結され、背面部３の折り畳み用ファスナ３１は閉じられ、胴体部２と正面部４との接続する部位に取付けられた開閉用ファスナ４３は閉じられている。
しかし、折り畳み用ファスナ３１及び開閉用ファスナ４３の片方もしくは両方が閉じられている状態では、各面部の境界域２５ａ乃至２５ｄで隣り合う面部を屈曲・伸展させようとしても、背面部３の不織布又は正面部４の正面材４１が胴体部２を角筒形状に保持し、境界域２５ａ乃至２５ｄで隣り合う面部を屈曲・伸展させることができず、布団収納体１を折り畳むことはできなかった。
【符号の説明】
【００３５】
１，５０  布団収納体
２、５２  胴体部
３、５３  背面部
４、５４  正面部
５、５５  把手
２１、６１  左側面部
２２、６２  上面部
２３、６３  右側面部
２４、６４  下面部
２８  胴体被覆部
２５、２５ａ、２５ｂ、２５ｃ、２５ｄ  境界域
６５、６５ａ、６５ｂ、６５ｃ、６５ｄ  境界域
３１、７１  折り畳み用ファスナ
４１、６４  正面材
４２  連接材
４３、８３  開閉用ファスナ
【図１】
2019194098.tif 000003
【図２】
2019194098.tif 000004
【図３】
2019194098.tif 000005
【図４】
2019194098.tif 000006
【図５】
2019194098.tif 000007